【手続補正書】
【提出日】平成16年3月9日(2004.3.9)
【手続補正１】
【補正対象書類名】明細書
【補正対象項目名】特許請求の範囲
【補正方法】変更
【補正の内容】
【特許請求の範囲】
【請求項１】
モータと、前記モータの駆動力の伝達を受けて回転する回転軸の軸端に設けられた、断面が多角形のねじれた穴と、を有して、記録媒体に画像を形成する電子写真画像形成装置本体に着脱可能なプロセスカートリッジであって、
電子写真感光体ドラムと、
前記電子写真感光体ドラムに作用するプロセス手段と、
前記電子写真感光体ドラムのドラム軸の一端に設けられた突起と、
を有して、
前記プロセスカートリッジが前記電子写真画像形成装置本体に装着された際に、前記突起が前記穴と嵌合して前記穴が回転すると、前記穴に前記突起が引き込まれて、前記ドラム軸の軸端が前記回転軸の軸端に当接して、前記電子写真画像形成装置本体に対する前記電子写真感光体ドラムの長手方向の位置決めが行われることを特徴とするプロセスカートリッジ。
【請求項２】
前記突起はねじれた多角柱であることを特徴とする請求項１に記載のプロセスカートリッジ。
【請求項３】
前記穴の断面は略正三角形である、また、突起の形状はねじれた略正三角柱であることを特徴とする請求項１に記載のプロセスカートリッジ。
【請求項４】
前記突起は、支持軸の先端に設けられた平板であることを特徴とする請求項１に記載のプロセスカートリッジ。
【請求項５】
プロセスカートリッジを着脱可能で、記録媒体に画像を形成する電子写真画像形成装置において、
・  モータと、
・  前記モータの駆動力の伝達を受けて回転する回転軸の軸端に設けられた、断面が多角形のねじれた穴と、
c.電子写真感光体ドラムと、
前記電子写真感光体ドラムに作用するプロセス手段と、
前記電子写真感光体ドラムのドラム軸の一端に設けられた突起と、
を有して、
前記プロセスカートリッジが前記電子写真画像形成装置本体に装着された際に、前記突起が前記穴と嵌合して前記穴が回転すると、前記穴に前記突起が引き込まれて、前記ドラム軸の軸端が前記回転軸の軸端に当接して、前記電子写真画像形成装置本体に対する前記電子写真感光体ドラムの長手方向の位置決めが行われるプロセスカートリッジを取り外し可能に装着するための装着手段と、
d.前記電子写真感光体ドラムの長手方向に対して、前記穴と突起とを相対的に移動させる移動手段と、
e.前記記録媒体を搬送する搬送手段と、
を有することを特徴とする電子写真画像形成装置。
【請求項６】
モータと、前記モータの駆動力の伝達を受けて回転する回転軸の軸端に設けられた突起と、を有して、記録媒体に画像を形成する電子写真画像形成装置本体に着脱可能なプロセスカートリッジであって、
電子写真感光体ドラムと、
前記電子写真感光体ドラムに作用するプロセス手段と、
前記電子写真感光体ドラムのドラム軸の一端に設けられた、断面が多角形のねじれた穴と、
を有して、
前記プロセスカートリッジが前記電子写真画像形成装置本体に装着された際に、前記穴が前記突起と嵌合して前記突起が回転すると、前記突起に前記穴が引き込まれて、前記ドラム軸の軸端が前記回転軸の軸端に当接して、前記電子写真画像形成装置本体に対する前記電子写真感光体ドラムの長手方向の位置決めが行われることを特徴とするプロセスカートリッジ。
【請求項７】
前記突起はねじれた多角柱であることを特徴とする請求項６に記載のプロセスカートリッジ。
【請求項８】
前記穴の断面は略正三角形である、また、突起の形状はねじれた略正三角柱であることを特徴とする請求項６に記載のプロセスカートリッジ。
【請求項９】
前記突起は、支持軸の先端に設けられた平板であることを特徴とする請求項６に記載のプロセスカートリッジ。
【請求項１０】
プロセスカートリッジを着脱可能で、記録媒体に画像を形成する電子写真画像形成装置において、
ａ.モータと、
ｂ.前記モータの駆動力の伝達を受けて回転する回転軸の軸端に設けられた突起と、
c.電子写真感光体ドラムと、
前記電子写真感光体ドラムに作用するプロセス手段と、
前記電子写真感光体ドラムのドラム軸の一端に設けられた、断面が多角形のねじれた穴と、
を有して、
前記プロセスカートリッジが前記電子写真画像形成装置本体に装着された際に、前記穴が前記突起と嵌合して前記突起が回転すると、前記突起に前記穴が引き込まれて、前記ドラム軸の軸端が前記回転軸の軸端に当接して、前記電子写真画像形成装置本体に対する前記電子写真感光体ドラムの長手方向の位置決めが行われるプロセスカートリッジを取り外し可能に装着するための装着手段と、
d.前記電子写真感光体ドラムの長手方向に対して、前記穴と突起とを相対的に移動させる移動手段と、
e.前記記録媒体を搬送する搬送手段と、
を有することを特徴とする電子写真画像形成装置。
【手続補正２】
【補正対象書類名】明細書
【補正対象項目名】０００６
【補正方法】変更
【補正の内容】
【０００６】
【課題を解決するための手段】
本出願に係る第１の発明はモータと、前記モータの駆動力の伝達を受けて回転する回転軸の軸端に設けられた、断面が多角形のねじれた穴と、を有して、記録媒体に画像を形成する電子写真画像形成装置本体に着脱可能なプロセスカートリッジであって、電子写真感光体ドラムと、前記電子写真感光体ドラムに作用するプロセス手段と、前記電子写真感光体ドラムのドラム軸の一端に設けられた突起と、を有して、前記プロセスカートリッジが前記電子写真画像形成装置本体に装着された際に、前記突起が前記穴と嵌合して前記穴が回転すると、前記穴に前記突起が引き込まれて、前記ドラム軸の軸端が前記回転軸の軸端に当接して、前記電子写真画像形成装置本体に対する前記電子写真感光体ドラムの長手方向の位置決めが行われることを特徴とするプロセスカートリッジである。


【手続補正３】
【補正対象書類名】明細書
【補正対象項目名】０００７
【補正方法】変更
【補正の内容】
【０００７】
本出願に係る第２の発明は前記突起はねじれた多角柱であることを特徴とする第１の発明に記載のプロセスカートリッジである。


【手続補正４】
【補正対象書類名】明細書
【補正対象項目名】０００８
【補正方法】変更
【補正の内容】
【０００８】
本出願に係る第３の発明は前記穴の断面は略正三角形である、また、突起の形状はねじれた略正三角柱であることを特徴とする第１の発明に記載のプロセスカートリッジである。


【手続補正５】
【補正対象書類名】明細書
【補正対象項目名】０００９
【補正方法】変更
【補正の内容】
【０００９】
本出願に係る第４の発明は前記突起は、支持軸の先端に設けられた平板であることを特徴とする第１の発明に記載のプロセスカートリッジである。


【手続補正６】
【補正対象書類名】明細書
【補正対象項目名】００１０
【補正方法】変更
【補正の内容】
【００１０】
本出願に係る第５の発明はプロセスカートリッジを着脱可能で、記録媒体に画像を形成する電子写真画像形成装置において、
ａ.モータと、
ｂ.前記モータの駆動力の伝達を受けて回転する回転軸の軸端に設けられた、断面が多角形のねじれた穴と、  
c.電子写真感光体ドラムと、前記電子写真感光体ドラムに作用するプロセス手段と、前記電子写真感光体ドラムのドラム軸の一端に設けられた突起と、を有して、前記プロセスカートリッジが前記電子写真画像形成装置本体に装着された際に、前記突起が前記穴と嵌合して前記穴が回転すると、前記穴に前記突起が引き込まれて、前記ドラム軸の軸端が前記回転軸の軸端に当接して、前記電子写真画像形成装置本体に対する前記電子写真感光体ドラムの長手方向の位置決めが行われるプロセスカートリッジを取り外し可能に装着するための装着手段と、
d.前記電子写真感光体ドラムの長手方向に対して、前記穴と突起とを相対的に移動させる移動手段と、
e.前記記録媒体を搬送する搬送手段と、
を有することを特徴とする電子写真画像形成装置である。
【手続補正７】
【補正対象書類名】明細書
【補正対象項目名】００１１
【補正方法】変更
【補正の内容】
【００１１】
本出願に係る第６の発明はモータと、前記モータの駆動力の伝達を受けて回転する回転軸の軸端に設けられた突起と、を有して、記録媒体に画像を形成する電子写真画像形成装置本体に着脱可能なプロセスカートリッジであって、電子写真感光体ドラムと、前記電子写真感光体ドラムに作用するプロセス手段と、前記電子写真感光体ドラムのドラム軸の一端に設けられた、断面が多角形のねじれた穴と、を有して、前記プロセスカートリッジが前記電子写真画像形成装置本体に装着された際に、前記穴が前記突起と嵌合して前記突起が回転すると、前記突起に前記穴が引き込まれて、前記ドラム軸の軸端が前記回転軸の軸端に当接して、前記電子写真画像形成装置本体に対する前記電子写真感光体ドラムの長手方向の位置決めが行われることを特徴とするプロセスカートリッジである。


【手続補正８】
【補正対象書類名】明細書
【補正対象項目名】００１２
【補正方法】変更
【補正の内容】
【００１２】
本出願に係る第７の発明は前記突起はねじれた多角柱であることを特徴とする第６の発明に記載のプロセスカートリッジである。


【手続補正９】
【補正対象書類名】明細書
【補正対象項目名】００１３
【補正方法】変更
【補正の内容】
【００１３】
本出願に係る第８の発明は前記穴の断面は略正三角形である、また、突起の形状はねじれた略正三角柱であることを特徴とする第６の発明に記載のプロセスカートリッジである。


【手続補正１０】
【補正対象書類名】明細書
【補正対象項目名】００１４
【補正方法】変更
【補正の内容】
【００１４】
本出願に係る第９の発明は前記突起は、支持軸の先端に設けられた平板であることを特徴とする第６の発明に記載のプロセスカートリッジである。


【手続補正１１】
【補正対象書類名】明細書
【補正対象項目名】００１５
【補正方法】変更
【補正の内容】
【００１５】
本出願に係る第１０の発明はプロセスカートリッジを着脱可能で、記録媒体に画像を形成する電子写真画像形成装置において、
ａ.モータと、
ｂ.前記モータの駆動力の伝達を受けて回転する回転軸の軸端に設けられた突起と、
c.電子写真感光体ドラムと、前記電子写真感光体ドラムに作用するプロセス手段と、前記電子写真感光体ドラムのドラム軸の一端に設けられた、断面が多角形のねじれた穴と、を有して、前記プロセスカートリッジが前記電子写真画像形成装置本体に装着された際に、前記穴が前記突起と嵌合して前記突起が回転すると、前記突起に前記穴が引き込まれて、前記ドラム軸の軸端が前記回転軸の軸端に当接して、前記電子写真画像形成装置本体に対する前記電子写真感光体ドラムの長手方向の位置決めが行われるプロセスカートリッジを取り外し可能に装着するための装着手段と、
d.前記電子写真感光体ドラムの長手方向に対して、前記穴と突起とを相対的に移動させる移動手段と、
e.前記記録媒体を搬送する搬送手段と、
を有することを特徴とする電子写真画像形成装置である。


【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】０２５２
【補正方法】変更
【補正の内容】
【０２５２】
【発明の効果】
以上のとおり、本発明によれば、
プロセスカートリッジが装置本体に装着された際に、突起と断面が多角形のねじれた穴とが嵌合した後に多角形の穴が回転すると、穴に突起が引き込まれて、プロセスカートリッジの電子写真感光体ドラムのドラム軸の端が装置本体の回転軸の軸端に当接してプロセスカートリッジの電子写真感光体ドラムの長手方向の装置本体に対する位置決めがなされるように構成されたことにより、運転時、安定して電子写真感光体ドラムの長手方向位置が定まる。この位置決めは突起先端と穴の底面が接していない状態に軸継手が結合して常に引き込み力が作用しているので電子写真感光体ドラムの長手方向の位置決めをなし得る。また突起と穴を入れ替え、突起を駆動した場合においても上述と同効を奏する。


【手続補正４３】
【補正対象書類名】明細書
【補正対象項目名】０２５３
【補正方法】削除
【補正の内容】
【手続補正４４】
【補正対象書類名】明細書
【補正対象項目名】０２５４
【補正方法】削除
【補正の内容】
【手続補正４５】
【補正対象書類名】明細書
【補正対象項目名】０２５５
【補正方法】削除
【補正の内容】
【手続補正４６】
【補正対象書類名】明細書
【補正対象項目名】０２５６
【補正方法】削除
【補正の内容】